(57)【要約】【課題】本発明は、例えばディジタルテレビジョン放送を受信可能な携帯電話に適用して、十分な機械的強度を確保して、簡易かつ小型形状によりイヤホンアンテナを構成することができるようにする。【解決手段】本発明は、信号、電力の伝送に供するケーブル１０を多芯同軸ケーブルとし、途中で多芯同軸ケーブル１０の被覆線ＳＳのみ切断して部分的にアンテナとして機能させる。【選択図】        図１
2010056850.tif 000002
【特許請求の範囲】
【請求項１】
本体装置と、
前記本体装置と外部装置との間で、信号及び又は電力を伝送する中継ケーブルとを有し、
前記中継ケーブルが、
複数の芯線ケーブルと、前記複数の芯線ケーブルを被覆する被覆線とを有する多芯同軸ケーブルであり、
局所的に前記被覆線のみが切断されて、前記被覆線が前記本体装置側の被覆線と前記外部装置側の被覆線とに分離され、
前記本体装置は、
前記芯線ケーブルにより前記信号及び又は電力を伝送し、
前記本体装置側の被覆線又は前記芯線ケーブルを内蔵のチューナーのアンテナ入力端に接続し、前記本体装置側の被覆線又は前記外部装置側の被覆線に誘起された高周波信号により前記チューナーで所望の放送波を受信する
受信装置。
【請求項２】
前記中継ケーブルがコネクタにより着脱可能に前記本体装置及び又は前記外部機器に接続された
請求項１に記載の受信装置。
【請求項３】
前記外部装置が、イヤホンである
請求項２に記載の受信装置。
【請求項４】
複数の芯線ケーブルと、前記複数の芯線ケーブルを被覆する被覆線とを有する多芯同軸ケーブルと、
前記多芯同軸ケーブルの一端に設けられ、前記多芯同軸ケーブルを本体装置に接続する本体装置側のコネクタと、
前記多芯同軸ケーブルの他端に設けられ、前記多芯同軸ケーブルを外部装置に接続する外部装置側のコネクタとを有し、
局所的に前記被覆線のみが切断され、前記被覆線が前記本体装置側の被覆線と前記外部装置側の被覆線とに分離され、
前記芯線ケーブルにより、前記本体装置と外部装置との間で、信号及び又は電力を伝送し、
前記本体装置のコネクタを介して、前記本体装置側の被覆線又は前記芯線ケーブルが前記本体装置に内蔵のチューナーのアンテナ入力端に接続される
中継ケーブル。
【請求項５】
前記外部装置が、イヤホンである
請求項４に記載の中継ケーブル。
【請求項６】
本体装置の電源を生成する電源部と、
一端に設けられたコネクタを介して、前記電源部で生成された電源を前記本体装置に供給するケーブルとを有し、
前記ケーブルが、複数の芯線ケーブルと、前記複数の芯線ケーブルを被覆する被覆線とを有する多芯同軸ケーブルであって、
局所的に前記被覆線のみが切断され、前記被覆線が前記本体装置側の被覆線と前記外部装置側の被覆線とに分離され、
前記芯線ケーブルにより前記電源を前記本体装置に供給し、
前記コネクタを介して、前記本体装置側の被覆線又は前記芯線ケーブルが前記本体装置に内蔵のチューナーのアンテナ入力端に接続される
電源装置。
【発明の詳細な説明】
【技術分野】
【０００１】
本発明は、受信装置、中継ケーブル及び電源装置に関し、例えばディジタルテレビジョン放送を受信可能な携帯電話に適用することができる。本発明は、信号、電力の伝送に供するケーブルを多芯同軸ケーブルとし、途中で多芯同軸ケーブルの被覆線のみ切断して部分的にアンテナとして機能させることにより、十分な機械的強度を確保して、簡易かつ小型形状によりイヤホンアンテナを構成することができるようにする。
【背景技術】
【０００２】
従来、テレビジョン放送等を受信可能な携帯電話は、内蔵アンテナ又は外部アンテナで放送波を受信している。ここで内蔵アンテナは、携帯電話のデザインを損なわない長所がある。しかしながら内蔵アンテナは、外部アンテナに比して感度が劣り、内部ノイズの影響を受け易い等の欠点がある。
【０００３】
これに対して外部アンテナには、ロッドアンテナ、イヤホンアンテナ等がある。ここでロッドアンテナは、内蔵アンテナに比して感度等が優れる特徴がある。しかしながらロッドアンテナは、携帯電話のデザインを損ない、さらにはアンテナが突出する等の欠点がある。
【０００４】
特に受信周波数が低くなると、アンテナの長さを長くすることが必要であることから、ロッドアンテナの場合、受信周波数が低くなると、著しくアンテナが突出し、著しくデザインが損なわれる。具体的に、周波数４７０〜７７０〔ＭＨｚ〕のＵＨＦ帯域において、モノポール方式のロッドアンテナは、長さが約１５０〔ｍｍ〕となる。これに対して周波数１００〜２００〔ＭＨｚ〕のＶＨＦ帯域において、モノポール方式のロッドアンテナは、長さが８００〜４００〔ｍｍ〕となる。従ってロッドアンテナは、ＶＨＦ帯域では、著しく突出し、著しくデザインを損なうことになる。
【０００５】
これに対してイヤホンアンテナは、イヤホンのケーブルをアンテナとして使用するものである。イヤホンアンテナは、携帯電話のデザインを損なうことなく、感度の劣化、内部ノイズの影響を防止することができる。
【０００６】
このイヤホンアンテナに関して、特開２００６−２５３９２号公報には、ケーブルの途中に高周波遮断回路を設け、この高周波遮断回路から装置側のケーブルのみアンテナとして機能させる構成が開示されている。この特開２００６−２５３９２号公報の構成によれば、イヤホンのケーブルが人体に接近、接触することによる特性の劣化を防止することができる。
【特許文献１】特開２００６−２５３９２号公報
【発明の開示】
【発明が解決しようとする課題】
【０００７】
しかしながらケーブルの途中に高周波遮断回路を設ける場合には、この高周波遮断回路を設けた部位の構造が複雑になり、またこの部位の形状が大型化する問題がある。また部品点数が増大する問題もあり、さらには高周波遮断回路を設けた部位で機械的強度が低下する問題もある。
【０００８】
本発明は以上の点を考慮してなされたもので、これらの問題点を一挙に解決することができる受信装置、中継ケーブル及び電源装置を提案しようとするものである。
【課題を解決するための手段】
【０００９】
上記の課題を解決するため請求項１の発明は、受信装置に適用して、本体装置と、前記本体装置と外部装置との間で、信号及び又は電力を伝送する中継ケーブルとを有し、前記中継ケーブルが、複数の芯線ケーブルと、前記複数の芯線ケーブルを被覆する被覆線とを有する多芯同軸ケーブルであり、局所的に前記被覆線のみが切断されて、前記被覆線が前記本体装置側の被覆線と前記外部装置側の被覆線とに分離され、前記本体装置は、前記芯線ケーブルにより前記信号及び又は電力を伝送し、前記本体装置側の被覆線又は前記芯線ケーブルを内蔵のチューナーのアンテナ入力端に接続し、前記本体装置側の被覆線又は前記外部装置側の被覆線に誘起された高周波信号により前記チューナーで所望の放送波を受信する。
【００１０】
また請求項４の発明は、中継ケーブルに適用して、複数の芯線ケーブルと、前記複数の芯線ケーブルを被覆する被覆線とを有する多芯同軸ケーブルと、前記多芯同軸ケーブルの一端に設けられ、前記多芯同軸ケーブルを本体装置に接続する本体装置側のコネクタと、前記多芯同軸ケーブルの他端に設けられ、前記多芯同軸ケーブルを外部装置に接続する外部装置側のコネクタとを有し、局所的に前記被覆線のみが切断され、前記被覆線が前記本体装置側の被覆線と前記外部装置側の被覆線とに分離され、前記芯線ケーブルにより、前記本体装置と外部装置との間で、信号及び又は電力を伝送し、前記本体装置のコネクタを介して、前記本体装置側の被覆線又は前記芯線ケーブルが前記本体装置に内蔵のチューナーのアンテナ入力端に接続される。
【００１１】
また請求項６の発明は、電源装置に適用して、本体装置の電源を生成する電源部と、一端に設けられたコネクタを介して、前記電源部で生成された電源を前記本体装置に供給するケーブルとを有し、前記ケーブルが、複数の芯線ケーブルと、前記複数の芯線ケーブルを被覆する被覆線とを有する多芯同軸ケーブルであって、局所的に前記被覆線のみが切断され、前記被覆線が前記本体装置側の被覆線と前記外部装置側の被覆線とに分離され、前記芯線ケーブルにより前記電源を前記本体装置に供給し、前記本体装置のコネクタを介して、前記本体装置側の被覆線又は前記芯線ケーブルが前記本体装置に内蔵のチューナーのアンテナ入力端に接続される。
【００１２】
請求項１、請求項４、又は請求項６の構成により、局所的に被覆線のみを切断し、被覆線を本体装置側の被覆線と外部装置側の被覆線とに分離すれば、芯線ケーブルの強度を何ら低減することになく、本体装置側の被覆線と外部装置側の被覆線とに被覆線を分離することができる。従って機械的強度の劣化を有効に回避して、被覆線の一部をアンテナとして機能させることができる。また配線基板等を用いなくてもよいことから、大型化を有効に回避し、簡易な構成により、アンテナとして機能するように構成することができる。
【発明の効果】
【００１３】
本発明によれば、十分な機械的強度を確保して、簡易かつ小型形状によりイヤホンアンテナを構成することができる。
【発明を実施するための最良の形態】
【００１４】
以下、適宜図面を参照しながら本発明の実施の形態を詳述する。なお説明は、以下の順序で行う。
【００１５】
１．第１の実施の形態
２．第２の実施の形態
３．第３の実施の形態
４．第４の実施の形態
５．第５の実施の形態
６．第６の実施の形態
７．第７の実施の形態
８．変形例
＜第１の実施の形態＞
［実施の形態の構成］
［全体の構成］
図２は、本発明の第１の実施の形態に係る携帯電話システムを示す斜視図である。この携帯電話システム１は、中継ケーブル２及びイヤホン３によるイヤホンアンテナによりディジタルテレビジョン放送、ディジタルラジオ放送を受信する。このため携帯電話システム１は、中継ケーブル２を介して、イヤホン３が本体装置である携帯電話４に接続される。この携帯電話システム１は、中継ケーブル２及びイヤホン３の全長が、音楽等の試聴に適した長さに設定され、この実施の形態では１５００〔ｍｍ〕に設定される。
【００１６】
ここでイヤホン３は、ケーブル６の一端に３ピンのプラグ７が接続され、ケーブル６の他端に右チャンネル及び左チャンネル用のスピーカ８Ｒ及び８Ｌが接続される。中継ケーブル２は、ケーブル１０の一端に、イヤホン３のプラグ７を接続するジャック１１が設けられ、ケーブル１０の他端に、プラグ１２が設けられる。携帯電話４は、側面に、プラグ１２を接続するジャック１３が設けられる。
【００１７】
より具体的に、図３に示すように、イヤホン３は、右チャンネル及び左チャンネル用のスピーカ８Ｒ及び８Ｌからそれぞれ延長する平行２線式のケーブルが、右チャンネル及び左チャンネルのオーディオ信号でアースを共通化した３線式のフラットケーブルに接続される。イヤホン３は、この３線式のフラットケーブルの他端がプラグ７の対応する端子７Ｌ、７Ｒ、７Ｇ（図１参照）に接続される。なおこの実施の形態では、右チャンネル用及び左チャンネル用のスピーカ８Ｒ及び８Ｌからそれぞれ延長する平行２線式のケーブルが、それぞれ長さ４５０〔ｍｍ〕及び１００〔ｍｍ〕に設定される。またプラグ７から左チャンネル用のスピーカ８Ｌまでの長さが５００〔ｍｍ〕に設定される。
【００１８】
中継ケーブル２は、図４に示すように、ケーブル１０の途中に、ケーブル１０を局所的に加工した中間処理部１４が設けられる。ここで図５に断面図及び側面図を示すように、ケーブル１０は、いわゆる多芯同軸ケーブルであり、複数の芯線ケーブルＬＬ、ＬＧ、ＬＲを被覆線ＳＳで被覆して作成される。なお芯線ケーブルＬＬ、ＬＧ、ＬＲは、それぞれアラミド繊維入りの縒り線を被覆して作成され、縒り合わされた後、絶縁体１６により覆って一体に保持される。ケーブル１０は、この絶縁体１６を囲むように銅の網線による被覆線ＳＳが配置され、全体をエラストマーで覆って外皮１７が作成される。中継ケーブル２は、芯線ケーブルＬＬ、ＬＲ、ＬＧがそれぞれ左チャンネルオーディオ信号のホット側、右チャンネルオーディオ信号のホット側、左チャンネルオーディオ信号及び右チャンネルオーディオ信号に共通のアースに割り当てられる。
【００１９】
中間処理部１４は、図１に示すように、被覆線ＳＳを切断し、被覆線ＳＳを本体装置側の被覆線ＳＳＡとイヤホン側の被覆線ＳＳＢとに分離する部位である。
【００２０】
プラグ１２は、偏平形状による１０ピンの多極プラグであり、長手方向に端子が密接して連続するように作成される。中継ケーブル２は、このプラグ１２の背面側に設けられた配線基板１８を介して、ケーブル１０の芯線ケーブルＬＬ、ＬＧ、ＬＲ及び被覆線ＳＳがプラグ１２の対応する端子に接続された後、プラグ１２の背面を樹脂により被覆して作成される。中継ケーブル２は、この配線基板１８上で、アースに割り当てられた芯線ケーブルＬＧに被覆線ＳＳＡが接続される。これにより中継ケーブル２において、本体装置側の被覆線ＳＳＡは、中間処理部１４側端が何れの部位にも接続されていない開放端とされ、プラグ１２側端がアースに接続される。これに対してイヤホン側の被覆線ＳＳＢは、全体が何れの部位にも接続されていない状態に設定される。
【００２１】
中継ケーブル２は、本体装置側の被覆線ＳＳＡの長さが、ＵＨＦ帯域であるディジタルテレビジョン放送帯域の中心周波数に対して、ほぼ１／４波長の電気長となるように設定される。より具体的にこの実施の形態では、約１５０〔ｍｍ〕に設定される。これにより中継ケーブル２は、ディジタルテレビジョン放送を受信する場合には、本体装置側の被覆線ＳＳＡが１／４波長のモノポールアンテナとして機能するように構成される。中継ケーブル２は、プラグ１２のアース端子を介して、この本体装置側の被覆線ＳＳＡに誘起した高周波信号を携帯電話４に入力する。
【００２２】
携帯電話４は、ディジタルテレビジョン放送、ディジタルラジオ放送の受信機能を有する携帯電話であり、ディジタルテレビジョン放送、ディジタルラジオ放送を受信するチューナー２１が設けられる。携帯電話４は、高周波を遮断する高周波遮断回路２０を介して、ジャック１１のアース端子がチューナー２１のアースに接続される。またコンデンサ２２を介して、ジャック１１のアース端子がチューナー２１のアンテナ入力端に接続される。これにより携帯電話４は、本体装置側の被覆線ＳＳＡに誘起された高周波信号をチューナー２１に入力する。なお高周波遮断回路２０は、例えばチップインダクタにより構成される。
【００２３】
携帯電話４は、このチューナー２１から得られる右チャンネル及び左チャンネルのオーディオ信号ＳＡＲ及びＳＡＬをそれぞれ増幅回路２３Ｒ及び２３Ｌで増幅した後、切替回路２４を介して内蔵スピーカ２５に入力する。
【００２４】
携帯電話４は、中継ケーブル２が接続されると内蔵スピーカ２５へのオーディオ信号ＳＡＲ及びＳＡＬの出力を中止すると共に、ジャック１３を介してこれらオーディオ信号ＳＡＲ及びＳＡＬを中継ケーブル２に出力する。これにより携帯電話４は、中継ケーブル２が接続されると、内蔵スピーカ２５に代えてイヤホン３によりオーディオ信号ＳＡＬ、ＳＡＲをユーザーに提供する。
【００２５】
なお携帯電話４は、切替回路２４とジャック１３との間にそれぞれ高周波遮断回路２６Ｌ、２６Ｒが設けられ、また高周波遮断回路２７を介してジャック１３のアース端子がオーディオ出力側のアースに接続される。これにより携帯電話４は、中継ケーブル２に誘起された高周波信号がオーディオ出力系等に混入しないようにする。なおこれら高周波遮断回路２６Ｌ、２６Ｒ、２７は、高周波遮断回路２０と同様に、チップインダクタにより構成される。
【００２６】
〔中間処理部の詳細構成〕
図６及び図７は、中間処理部１４の作成手順の説明に供する側面図である。中継ケーブル２は、図６（Ａ）に示すように、ケーブル１０を所定長さに切断した後、図６（Ｂ）に示すように、中間処理部１４の両端に対応する部位に、それぞれ切り込みが入れられ、外皮１７のみが輪切り形状に切断される。続いて図６（Ｃ）に示すように、この両端部に対応する部位の切り込みを結ぶように、直線形状に外皮１７に切り込みが入れられ、図６（Ｄ）に示すように、これらの切り込みによって外皮１７が部分的に除去される。これにより中継ケーブル２は、中間処理部１４に対応する部位で被覆線ＳＳが露出するように設定される。
【００２７】
続いて中継ケーブル２は、図７（Ａ）において破線により示すように、この露出した部位の被覆線ＳＳが長手方向のほぼ中央部分で２つに切断される。中継ケーブル２は、続いてこの露出した部位の被覆線ＳＳがほぐされた後、図７（Ｂ）に示すように、プラグ１２側及びジャック１１側でそれぞれ側方に突出するように、被覆線ＳＳを構成する裸銅線が捩じって束ねられる。中継ケーブル２は、プラグ１２側及びジャック１１側で、この束ねた部位の突出する方向が逆方向となるように、またそれぞれ中央に向かって傾くように作成される。中継ケーブル２は、この束ねた裸銅線がほどけないように、束ねた部位が半田付けされる。
【００２８】
中継ケーブル２は、続いて図７（Ｃ）に示すように、この束ねた部位を覆い隠すように、外皮１７を取り除いた部位を含む一定範囲が樹脂３１によりモールディングされ、中間処理部１４が作成される。なお中間処理部１４において、実用上十分に引っ張り強度を確保できる場合、図８に示すように、被覆線ＳＳの裸銅線をほぐす処理、束ねる処理を省略してもよい。但しこの場合、本体装置側の被覆線ＳＳＡとイヤホン側の被覆線ＳＳＢとを完全に絶縁するように、外皮１７と同様に、一定の範囲で被覆線ＳＳを除去し、絶縁体１６が露出するように設定することが望ましい。また図９に示すように、筒形状のコア３２にケーブル１０を挿通し、このコア３２を中間処理部１４に配置することにより、本体装置側の被覆線ＳＳＡとイヤホン側の被覆線ＳＳＢとの高周波的な絶縁を、一段と確実なものとしてもよい。
【００２９】
〔実施の形態の動作〕
以上の構成において、この携帯電話システム１（図１及び図２）では、ユーザーの操作に応動してチューナー２１が動作を立ち上げ、このチューナー２１で受信されたオーディオ信号ＳＡＬ及びＳＡＲが内蔵スピーカ２５から出力される。
【００３０】
携帯電話システム１では、中継ケーブル２が携帯電話４に接続されると、オーディオ信号ＳＡＬ及びＳＡＲが内蔵スピーカ２５に代えて中継ケーブル２に出力される。携帯電話システム１では、このオーディオ信号ＳＡＬ及びＳＡＲが中継ケーブル２の芯線ケーブルＬＬ、ＬＲ、ＬＧを介してイヤホン３のケーブル６に供給され、このオーディオ信号ＳＡＬ及びＳＡＲによりイヤホン３のスピーカ８Ｌ及び８Ｒが駆動される。携帯電話システム１では、これにより中継ケーブル２を介してイヤホン３にオーディオ信号ＳＡＬ、ＳＡＲが伝送され、チューナー２１で受信した放送波の音声がイヤホン３によりユーザーに提供される。
【００３１】
携帯電話システム１では、このようにして中継ケーブル２を介してイヤホン３にオーディオ信号ＳＡＬ、ＳＡＲを伝送している状態で、中継ケーブル２のケーブル１０、イヤホン３のケーブル６に各種の高周波信号が誘起される。
【００３２】
ここで携帯電話システム１では、このオーディオ信号ＳＡＬ及びＳＡＲを伝送する中継ケーブル２のケーブル１０が被覆線ＳＳにより囲まれた多芯同軸ケーブルとされ、この被覆線ＳＳが途中で切断され、本体装置側の被覆線ＳＳＡとイヤホン側の被覆線ＳＳＢに分離される。携帯電話システム１では、この本体装置側の被覆線ＳＳＡが携帯電話４側でチューナー２１のアンテナ入力端に接続されていることにより、この本体装置側の被覆線ＳＳＡで誘起された高周波信号がチューナー２１のアンテナ入力端に入力される。
【００３３】
またイヤホン側の被覆線ＳＳＢが何れの部位にも接続されていないことにより、イヤホン３のケーブル６に誘起された高周波信号、イヤホン側の被覆線ＳＳＢに誘起された高周波信号は、アース用の芯線ケーブルＬＧを介してチューナー２１のアンテナ入力端に入力される。
【００３４】
その結果、携帯電話システム１は、図１０に示すように、本体装置側の被覆線ＳＳＡによりモノポールアンテナが構成され、このモノポールアンテナに誘起された放送波をチューナー２１で受信することになる。また図１１に示すように、受信する周波数が低い場合には、本体装置側の被覆線ＳＳＡが芯線ケーブルＬＧ、ＬＲ、ＬＬと共に同軸伝送路として機能し、イヤホン側の被覆線ＳＳＢとイヤホンのケーブル６とによるスリーブアンテナが構成されることになる。
【００３５】
ここで携帯電話システム１では、この本体装置側の被覆線ＳＳＡによるモノポールアンテナが、ＵＨＦ帯域であるディジタルテレビジョン放送波に対応する長さに設定される。これによりディジタルテレビジョン放送波を受信する場合には、本体装置側の被覆線ＳＳＡによるモノポールアンテナでテレビジョン放送を受信する。これに対してＶＨＦ帯域であるディジタルラジオ放送を受信する場合には、イヤホン側の被覆線ＳＳＢとイヤホンのケーブル６とによるスリーブアンテナにより放送波を受信する。
【００３６】
ここで図１２に示すように、このイヤホン３のケーブル６、イヤホン側の被覆線ＳＳＢは、イヤホン３を装着した場合に、人体に接触し易い部位である。ＵＨＦ帯域は、この人体による接触等によりアンテナの特性の変化は著しい周波数帯域である。これに対して本体装置側の被覆線ＳＳＡは、人体に接触し難い部位である。これによりこの実施の形態では、人体の接触による特性の劣化が激しいＵＨＦ帯域において、人体の接触による特性を有効に回避することができる。
【００３７】
すなわち図１３は、この携帯電話システム１におけるアンテナのＵＨＦ帯域のＶＳＷＲを示す特性曲線図である。また図１４は、図１３との対比により、中間処理部１４を設けない場合のＶＳＷＲを示す特性曲線図である。図１４は、人体の接触部位もアンテナとして機能させる構成の測定結果である。より具体的に図１４は、長さ９４０〔ｍｍ〕の多芯同軸ケーブルにより中継ケーブルを作成し、この中継ケーブルの芯線ケーブル及び被覆線を本体装置側端で短絡させてチューナーに入力し、この中継ケーブルの先端にイヤホンを接続した場合の例である。なお図１３及び図１４は、自由空間で測定した特性であり、破線により受信帯域を示す。この図１３及び図１４によれば、携帯電話システム１によるアンテナの場合、受信帯域において、ＶＳＷＲが低減していることが判る。
【００３８】
また図１５は、この携帯電話システム１におけるアンテナの自由空間におけるＵＨＦ帯域の利得を示す特性曲線図であり、図１６及び図１７は、この図１５の特性を詳細に示す図表である。また図１８〜図２０は、図１５〜図１７との対比により、実際に人体に装着した場合の、この携帯電話システム１におけるアンテナの利得を示す特性曲線図及び図表である。また図２１〜図２６は、これら図１５〜図２１との対比により、図１４の例によるアンテナの測定結果を示す特性曲線図及び図表である。なおこれら図１５〜図２６において、符号ＬＨ及びＬＶは、それぞれ水平偏波及び垂直偏波のアンテナ入力特性である。
【００３９】
これらの測定結果によれば、自由空間においては、ＵＨＦ帯域で若干利得が劣るものの、人体に装着した場合、この携帯電話システム１によるアンテナでは、利得が大幅に向上することが判る。
【００４０】
なお中継ケーブル２及びイヤホン３がスリーブアンテナとして機能するＶＨＦ帯域では、ＵＨＦ帯域と同様に、十分なアンテナ利得を確保できることが確認された。
【００４１】
しかしながらこのようにオーディオ信号ＳＡＬ及びＳＡＲを芯線ケーブルＬＬ、ＬＧ、ＬＲにより伝送するように構成して、従来手法により途中に高周波遮断回路を設けて被覆線ＳＳを分離する場合には、ケーブル１０を途中で切断して繋ぎ直すことになる。この場合、繋ぎ直した部位が複雑化、大型化し、部品点数が増大し、機械的強度が低下する問題がある。特に中継ケーブルの途中が大型化する場合にあっては、デザインが著しく損なわれる問題もある。
【００４２】
すなわち図２７（Ａ）は、従来手法により高周波遮断回路を配置する場合の構成を示す断面図及び平面図である。なおこの図２７では、図１等について使用した符号を流用して従来構成を説明する。従来手法では、本体装置側とイヤホン側とのケーブル１０Ａ及び１０Ｂを配線基板３５上で接続し、この配線基板３５上の接続において、ケーブル１０Ａ及び１０Ｂ間の接続を種々に設定することになる。またその後、この配線基板３５と共に、この接続した部位を樹脂３７でモールディングする。なおこの図２７において、符号３６Ａ〜３６Ｃは、高周波信号を遮断する高周波遮断回路であり、例えばチップインダクタにより構成される。
【００４３】
従ってこの従来手法を適用して中間処理部を作成する場合、図２７との対比により図２８に示すように、本体装置側のケーブル１０Ａとイヤホン側のケーブル１０Ｂとを配線基板３５上で接続し、この配線基板３５上において、ケーブル１０Ａ及び１０Ｂの対応する芯線ケーブルＬＬ、ＬＲ、ＬＧのみをそれぞれ接続することになる。その後、一点鎖線で示すように、この配線基板３５と共に、この接続した部位を樹脂でモールディングし、中間処理部１４を作成することになる。
【００４４】
従ってこの方法では、中間処理部１４が複雑化、大型化し、部品点数が増大し、機械的強度が低下することになる。なお図２８との対比により図２９に示すように、配線基板を省略してケーブル１０Ａ及び１０Ｂを直接接続する方法も考えられるが、この方法の場合、作業が煩雑になり、接続不良、誤配線等の不良が発生する恐れもある。また何れの手法を適用した場合でも、本体装置側のケーブル１０Ａとイヤホン側のケーブル１０Ｂとを接続して中間処理部１４を作成する場合には、引っ張り強度の低下を避け得ない。
【００４５】
そこで携帯電話システム１では、被覆線ＳＳのみ途中で切断して中間処理部１４が作成され（図６〜図７）、これによりこれらの問題点が一挙に解決される。すなわち携帯電話システム１では、被覆線ＳＳのみ途中で切断していることにより、配線基板を設ける必要が無く、その結果、中間処理部１４の構成を簡略化し、形状を小型化し、さらには部品点数の増大を防止することができる。
【００４６】
また何より被覆線ＳＳのみ途中で切断していることにより、芯線ケーブルＬＬ、ＬＲ、ＬＧによる引っ張り強度は、被覆線ＳＳを切断する前の強度に保持される。ここでこの種の多芯同軸ケーブルは、アラミド繊維入りの縒り線を被覆して芯線ケーブルが作成され、このアラミド繊維により引っ張り強度が確保されている。従って携帯電話システム１では、引っ張り強度の低下による機械的強度の低下も有効に回避することができる。また被覆線ＳＳのみ途中で切断することにより、簡易に作成することができる。
【００４７】
さらにこの実施の形態では、被覆線ＳＳＡ及びＳＳＢをそれぞれ束ねて側方に突出させ、樹脂によりモールディングした際に、この突出した部位が樹脂に食い込むように設定される。これにより中間処理部１４における引っ張り強度を一段と向上することができ、これにより一段と機械的強度が図られる。
【００４８】
またこのように被覆線ＳＳのみ途中で切断して中継ケーブル２を作成する場合には、この途中で切断する箇所を種々に変更することにより、一定の長さの中継ケーブル２を、種々の周波数に対応可能に設定することができる。
【００４９】
〔実施の形態の効果〕
以上の構成によれば、中継ケーブルを多芯同軸ケーブルにより作成するようにして、途中で多芯同軸ケーブルの被覆線のみ切断して部分的にアンテナとして機能するように構成することにより、十分な機械的強度を確保して、簡易かつ小型形状によりイヤホンアンテナを構成することができる。
【００５０】
またこの部分的にアンテナとして機能する部位を本体装置側の部位としたことにより、人体による影響を有効に回避してイヤホンアンテナを構成することができる。
【００５１】
またこの切断した部位にコアを配置することにより、この場合は、本体装置側の被覆線に対して、中間処理部よりイヤホン側で誘起された高周波信号の混入を防止することができ、より理想的なモノポールアンテナとして本体側の被覆線を機能させて特性を向上することができる。
【００５２】
＜第２の実施の形態＞
図３０は、図１との対比により本発明の第２の実施の形態に係る携帯電話システムを示す接続図である。この携帯電話システム４１は、中継ケーブル２、携帯電話４に代えて、中継ケーブル４２、携帯電話４４が適用される点を除いて、第１の実施の形態の携帯電話システム１と同一に構成される。
【００５３】
ここで中継ケーブル４２は、プラグ１２、ジャック１３を介して、アース用の芯線ケーブルＬＧと被覆線ＳＳＡとがそれぞれ個別に携帯電話４４に接続される点を除いて、中継ケーブル２と同一に構成される。
【００５４】
携帯電話４４は、アース用の芯線ケーブルＬＧが、高周波遮断回路２７を介して接地される。また被覆線ＳＳＡが、高周波遮断回路２０を介して接地されると共に、コンデンサ２２を介してチューナー２１のアンテナ入力端に接続される。携帯電話４４は、これらアース用の芯線ケーブルＬＧ及び被覆線ＳＳＡの接続が異なる点を除いて、携帯電話４と同一に構成される。
【００５５】
これによりこの携帯電話システム４１では、第１の実施の形態と同様に、本体装置側の被覆線ＳＳＡをモノポールアンテナとして機能させてディジタルテレビジョン放送を受信する。
【００５６】
この実施の形態のように、アース用の芯線ケーブル及び本体装置側の被覆線を個別に本体装置に接続し、本体装置側の被覆線をモノポールアンテナとして機能させるようにしても、第１の実施の形態と同様の効果を得ることができる。
【００５７】
＜第３の実施の形態＞
図３１は、図１及び図３０との対比により本発明の第３の実施の形態に係る携帯電話システムを示す接続図である。この携帯電話システム５１は、携帯電話４に代えて、携帯電話５４が適用される点を除いて、第２の実施の形態の携帯電話システム４１と同一に構成される。
【００５８】
携帯電話５４は、チューナー２１に代えて、ディジタルラジオ放送のみ受信可能なチューナー５６が設けられる。携帯電話５４は、被覆線ＳＳが接地される。またアース用の芯線ケーブルＬＧが、高周波遮断回路２７を介して接地され、コンデンサ２２を介してチューナー５６のアンテナ入力端に接続される。携帯電話５４は、これらアース用の芯線ケーブルＬＧ及び被覆線ＳＳＡの接続が異なる点を除いて、携帯電話４４と同一に構成される。
【００５９】
これによりこの携帯電話システム５１では、第１の実施の形態におけるＶＨＦ帯域と同様に、中継ケーブル４２及びイヤホン３をスリーブアンテナとして機能させてディジタルラジオ放送を受信する。なおこのように本体装置側の被覆線ＳＳを同軸伝送路として機能させてスリーブアンテナを構成する場合には、本体装置からのノイズの影響を低減することができる。
【００６０】
この実施の形態のように、本体装置側の被覆線を同軸伝送路として機能するように構成してスリーブアンテナを構成するようにしても、第１の実施の形態と同様の効果を得ることができる。
【００６１】
＜第４の実施の形態＞
図３２は、本発明の第４の実施の形態の携帯電話システムに適用される中継ケーブルを示す平面図である。この中継ケーブル６２は、ディジタルラジオ放送及び又はディジタルテレビジョン放送を受信可能な携帯電話に適用される。中継ケーブル６２は、ケーブル１０のイヤホン側端に、リモコン部６３が設けられ、このリモコン部６３にオフフック、オンフックを操作するスイッチ６４、ハンズフリーシステムを構成するマイク６５が設けられ、このリモコン部６３の端面にジャック１１が設けられる。
【００６２】
このリモコン部６３に係る構成が異なる点を除いて、この実施の形態の携帯電話及び中継ケーブル６２は、上述の第１〜第３の実施の形態と同一に構成される。従ってケーブル１０は、上述の実施の形態に比してスイッチ６４、マイク６６に係る芯線ケーブルが余分に設けられ、これらの芯線ケーブルが携帯電話に接続される。
【００６３】
この実施の形態のように、中継ケーブルの一端にリモコン部を設ける場合にあっても、上述の第１〜第３の実施の形態と同一の効果を得ることができる。
【００６４】
＜第５の実施の形態＞
図３３は、本発明の第５の実施の形態に係る携帯電話システムを示す接続図である。この携帯電話システム７１は、放送波を利用したダウンロードサービスであるメディアフロー（登録商標）を利用して音楽コンテンツをダウンロードする。この携帯電話システム７１は、携帯電話７４に充電用電源を供給する電源装置７２で、このダウンロードサービスの放送波を受信するアンテナを構成する。
【００６５】
ここで電源装置７２は、ケーブル７６の両端にそれぞれ電源部７５及びコネクタ７７が設けられる。ここで電源部７５は、商用電源から充電用の電源を生成してケーブル７６に出力する。
【００６６】
ケーブル７６は、２本の芯線ケーブルＬＶ及びＬＧを被覆線ＳＳで被覆した多芯同軸ケーブルである。ケーブル７６は、電源部７５側端が電源部７５に直接接続される。またケーブル７６は、コネクタ７７の背面に設けられた配線基板７８を介して、携帯電話７４側端がコネクタ７７に接続される。ケーブル７６は、芯線ケーブルＬＶ及びＬＧが電源部７５で生成した電源の伝送に割り当てられ、配線基板７８に設けられたチョークコイル７９Ｖ及び７９Ｇをそれぞれ介して、芯線ケーブルＬＶ及びＬＧがそれぞれコネクタ７７のホット側電源端子及びコールド側電源端子に接続される。またホット側電源端子に接続される芯線ケーブルＬＶは、さらに配線基板７８に設けられたチョークコイル７９Ｅを介して、コネクタ７７のアース端子に接続される。これらチョークコイル７９Ｖ、７９Ｇ、７９Ｅにより、携帯電話７４は、電源ラインからのノイズ等の進入が防止される。
【００６７】
ケーブル７６は、コネクタ７７から一定の距離に、中間処理部８０が設けられる。ケーブル７６は、この中間処理部８０で、第１の実施の形態と同様にして、被覆線ＳＳのみが切断され、被覆線ＳＳが、本体装置側の被覆線ＳＳＡと、電源部側の被覆線ＳＳＢとに分離される。
【００６８】
ケーブル７６は、筒形状のコア８４に挿通されて、この被覆線ＳＳを切断した箇所にコア８４が配置された後、樹脂により被覆して中間処理部８０が作成される。
【００６９】
ケーブル７６は、電源部側の被覆線ＳＳＢが何れの部位にも接続されてない状態に設定され、本体装置側の被覆線ＳＳＡが、配線基板７８を介して、コネクタ７７のアンテナ端子に接続される。これによりこの携帯電話システム７１では、第１の実施の形態と同様に、本体装置側の被覆線ＳＳＡでモノポールアンテナを構成する。この携帯電話システム７１は、この本体装置側の被覆線ＳＳＡの長さが、ダウンロードサービスの放送波の波長の、約１／４波長に設定される。
【００７０】
携帯電話７４は、コネクタ７７を接続するコネクタ８１が設けられ、ケーブル７６の芯線ケーブルＬＶ及びＬＧにより伝送された電源をこのコネクタ８１を介して電源回路８２に入力する。ここで電源回路８２は、この電源により内蔵の二次電池を充電する。
【００７１】
チューナー８３は、コンデンサ８５を介してコネクタ８１のアンテナ入力端が接続され、ケーブル７６で誘起された高周波信号よりダウンロードサービスの放送波を受信する。携帯電話７４は、この受信した放送波を処理して音楽コンテンツを再生し、所定の記録媒体に記録して保持する。またユーザーの操作に応動してこの記録媒体に記録した音楽コンテンツを再生してユーザーに提供する。
【００７２】
この実施の形態によれば、電源装置に本発明を適用して、電源を伝送するケーブルを多芯同軸ケーブルにより作成すると共に、途中でこの多芯同軸ケーブルの被覆線のみ切断して部分的にアンテナとして機能するように設定することにより、十分な機械的強度を確保して、簡易かつ小型形状によりアンテナを構成することができる。
【００７３】
また内蔵アンテナを使用する場合に比して十分なアンテナ利得を確保できることにより、種々の場所で所望する音楽コンテンツを確実にダウンロードすることができる。
【００７４】
また中間処理部にコアを配置したことにより、電源ラインからのノイズ等の混入を低減することができ、さらには中間処理部より電源部側のケーブルをアンテナとして機能しないように設定することができ、より理想的なモノポールアンテナとして本体側の被覆線を機能させて特性を向上することができる。
【００７５】
＜第６の実施の形態＞
図３４は、本発明の第６の実施の形態に係る携帯電話システムを示す接続図である。この携帯電話システム９１は、電源装置７２、携帯電話７４に代えて、電源装置９２、携帯電話９４が適用される。
【００７６】
また電源装置９２は、配線基板７８上において、コールド側電源用の芯線ケーブルＬＧが高周波遮断回路９５を介して被覆線ＳＳＡに接続され、さらに高周波遮断回路７９Ｇを介してコネクタ７７のコールド側電源端子に接続される。被覆線ＳＳＡは、コネクタ７７のアンテナ入力端に接続される。電源装置９２は、これらコールド側電源用の芯線ケーブルＬＧ及び被覆線ＳＳＡの構成が異なる点を除いて、第５の実施の形態の電源装置７２と同一に構成される。
【００７７】
携帯電話９４は、コネクタ８１のアンテナ入力端が高周波遮断回路８６を介して接地され、さらにコンデンサ８５を介してチューナー８３のアンテナ入力端に接続される。携帯電話９４は、このチューナー８３のアンテナ入力に係る構成が異なる点を除いて、第５の実施の形態の携帯電話７４と同一に構成される。
【００７８】
これによりこの第６の実施の形態のように、第５の実施の形態と異なる接続により電源装置のケーブルを携帯電話のチューナーに接続し、このケーブルの本体装置側の被覆線をモノポールアンテナとして機能させるようにしても、第５の実施の形態と同様の効果を得ることができる。
【００７９】
＜第７の実施の形態＞
図３５は、本発明の第７の実施の形態に係る携帯電話システムを示す接続図である。この携帯電話システム１０１は、電源装置７２、携帯電話７４に代えて、電源装置１０２、携帯電話１０４が適用される。
【００８０】
電源装置１０２は、ケーブル７６の接続が異なる点を除いて、電源装置７２と同一に構成される。ここでケーブル７６は、芯線ケーブルＬＶ及びＬＧの電源部７５側端が、高周波遮断回路１０５Ｅ及び１０５Ｖを介して電源部７５に接続される。これにより携帯電話システム１０１は、この携帯電話システム１０１で受信する放送波の周波数帯域において、電源部７５側の電気長を高周波遮断回路１０５Ｅ及び１０５Ｖで制限する。なお高周波遮断回路１０５Ｅ及び１０５Ｖは、例えばチップインダクタにより構成される。なお図において、破線により示すように、アース用の芯線ケーブルＬＧの高周波遮断回路１０５Ｅ側端を被覆線ＳＳＢと接続するようにしてもよい。電源装置１０２は、電源部側の被覆線ＳＳＢの長さが、ダウンロードサービスに係る放送波の１／４波長の長さに設定される。
【００８１】
ケーブル７６は、配線基板７８上において、芯線ケーブルＬＶ及びＬＥが直接コネクタ７７の電源端子に接続される。また配線基板７８上において、高周波遮断回路１０６を介してアース側の芯線ケーブルＬＧが被覆線ＳＳＡに接続され、被覆線ＳＳＡがコネクタ７７のアース端子に接続される。
【００８２】
携帯電話１０４は、コンデンサ１０７を介してコネクタ８１のコールド側電源端子がチューナー８３のアンテナ入力端に接続され、さらにオーディオ出力系のアースに接続される。また被覆線ＳＳＡを接続したコネクタ８１のアース端子がチューナー８３のアースに接続される。携帯電話１０４は、これらの接続が異なる点を除いて携帯電話７４と同一に構成される。これにより携帯電話１０４は、ケーブル７６の電源部７５側の被覆線ＳＳＢがアンテナとして機能するスリーブアンテナにより放送波を受信する。
【００８３】
この実施の形態では、電源装置に本発明を適用して、電源を伝送するケーブルを多芯同軸ケーブルにより作成すると共に、途中でこの多芯同軸ケーブルの被覆線のみ切断して電源部側を部分的にアンテナとして機能するように設定するようにしても、上述の実施の形態と同様の効果を得ることができる。
【００８４】
＜変形例＞
なお上述の実施の形態においては、被覆線の長さをディジタルテレビジョン放送の周波数に対応する長さ、ダウンロードサービスの放送波に対応する長さに設定する場合について述べた。しかしながら本発明はこれに限らず、各種の放送波を受信する場合に広く適用することができる。具体的に、例えば中心周波数２００〔ＭＨｚ〕によるＶＨＦ帯域を受信する場合には、アンテナとして機能させる部位の長さが約４００〔ｍｍ〕となるように中間処理部を設定して、ＶＨＦ帯域の放送波を受信することができる。
【００８５】
また上述の実施の形態においては、本体装置側の被覆線をモノポールアンテナとして機能させる構成において、イヤホン側の被覆線、電源部側の被覆線については、長さを特に設定しない場合について述べた。しかしながら本発明はこれに限らず、このイヤホン側の被覆線、電源部側の被覆線の長さの設定により、本体装置側の被覆線によるモノポールアンテナの特性を向上させるようにしてもよい。具体的に、本体装置側の被覆線で受信する受信周波数に対して、イヤホン側の被覆線、電源部側の被覆線で妨害波を抑圧するフィルタ回路を構成することにより、イヤホンのケーブル、電源部で受信した妨害波の混入を低減することができる。なおこの場合、例えばイヤホン側の被覆線、電源部側の被覆線の長さを妨害波の波長の１／２波長として、これらイヤホン側の被覆線、電源部側の被覆線をスタブと機能させてフィルタ回路を構成することができる。
【００８６】
また上述の実施の形態においては、コネクタを使用して着脱可能に中継ケーブル及びイヤホンを接続する場合について述べたが、本発明はこれに限らず、いわゆる作り付けにより着脱困難に中継ケーブル及び又はイヤホンを接続する場合にも広く適用することができる。
【００８７】
また上述の第４〜第７の実施の形態においては、電源部から延長するケーブルをアンテナとして機能させるように構成する場合について述べた。しかしながら本発明はこれに限らず、イヤホンアンテナの場合と同様に、中継ケーブルを介して電源部から延長するケーブルを本体装置に接続するようにして、この中継ケーブルをアンテナとして機能させるように構成してもよい。
【００８８】
また上述の実施の形態においては、イヤホン、電源のケーブルをアンテナとして使用する場合について述べたが、本発明はこれに限らず、例えばＵＳＢにより各種の外部機器を本体装置に接続する場合等、各種の外部機器にオーディオ信号、ビデオ信号等の各種信号さらには電力を伝送する場合に広く適用することができる。
【００８９】
また上述の実施の形態においては、本発明を携帯電話システムに適用する場合について述べたが、本発明はこれに限らず、放送波の受信機能を備えた携帯音楽プレイヤー等、種々の受信装置に広く適用することができる。
【産業上の利用可能性】
【００９０】
本発明は、ディジタルテレビジョン放送を受信可能な携帯電話に適用することができる。
【図面の簡単な説明】
【００９１】
【図１】本発明の第１の実施の形態に係る携帯電話システムを示す接続図である。
【図２】本発明の第１の実施の形態に係る携帯電話システムを示す斜視図である。
【図３】図２の携帯電話システムに適用されるイヤホンを示す側面図である。
【図４】図２の携帯電話システムに適用される中継ケーブルを示す側面図である。
【図５】図４の中継ケーブルに適用される多芯同軸ケーブルを示す図である。
【図６】図５の中継ケーブルの処理の説明に供する図である。
【図７】図６の続きの説明に供する図である。
【図８】図５の中継ケーブルの他の処理の説明に供する図である。
【図９】図５の中継ケーブルの図８とは異なる他の処理の説明に供する図である。
【図１０】図２の携帯電話システムによるモノポールアンテナの説明に供する図である。
【図１１】図２の携帯電話システムによるスリーブアンテナの説明に供する図である。
【図１２】図２の携帯電話システムにおける人体の影響の説明に供する図である。
【図１３】図２の携帯電話システムによるアンテナのＶＳＷＲを示す特性曲線図である。
【図１４】図１３との対比により従来構成によるアンテナのＶＳＷＲを示す特性曲線図である。
【図１５】図２の携帯電話システムによるアンテナの特性を示す特性曲線図である。
【図１６】図１５の特性曲線図における垂直偏波の特性を示す図表である。
【図１７】図１５の特性曲線図における水平偏波の特性を示す図表である。
【図１８】従来構成によるアンテナの特性を示す特性曲線図である。
【図１９】図１８の特性曲線図における垂直偏波の特性を示す図表である。
【図２０】図１８の特性曲線図における水平偏波の特性を示す図表である。
【図２１】図２の携帯電話システムによるアンテナの人体装着時の特性を示す特性曲線図である。
【図２２】図２１の特性曲線図における垂直偏波の特性を示す図表である。
【図２３】図２１の特性曲線図における水平偏波の特性を示す図表である。
【図２４】従来構成によるアンテナの人体装着時の特性を示す特性曲線図である。
【図２５】図２４の特性曲線図における垂直偏波の特性を示す図表である。
【図２６】図２４の特性曲線図における水平偏波の特性を示す図表である。
【図２７】従来構成により多芯同軸ケーブルを接続する場合を示す図である。
【図２８】図２７の構成を適用して多芯同軸ケーブルを接続する場合を示す図である。
【図２９】直接多芯同軸ケーブルを接続する場合を示す図である。
【図３０】本発明の第２の実施の形態に係る携帯電話システムを示す接続図である。
【図３１】本発明の第３の実施の形態に係る携帯電話システムを示す接続図である。
【図３２】本発明の第４の実施の形態に係る携帯電話システムに適用される中継ケーブルを示す図である。
【図３３】本発明の第５の実施の形態に係る携帯電話システムを示す接続図である。
【図３４】本発明の第６の実施の形態に係る携帯電話システムを示す接続図である。
【図３５】本発明の第７の実施の形態に係る携帯電話システムを示す接続図である。
【符号の説明】
【００９２】
１、４１、５１、７１、９１、１０１……携帯電話システム、２、４２、６２……中継ケーブル、３……イヤホン、４、４４、５４、７４、９４、１０４……携帯電話、１０、７６……多芯同軸ケーブル、１４、８０……中間処理部、２１、５６、８３……チューナー、３２、８４……コア、７５……電源部、ＬＥ、ＬＧ、ＬＬ、ＬＲ、ＬＶ……芯線ケーブル、ＳＳ、ＳＳＡ、ＳＳＢ……被覆線
【図１】
2010056850.tif 000003
【図２】
2010056850.tif 000004
【図３】
2010056850.tif 000005
【図４】
2010056850.tif 000006
【図５】
2010056850.tif 000007
【図６】
2010056850.tif 000008
【図７】
2010056850.tif 000009
【図８】
2010056850.tif 000010
【図９】
2010056850.tif 000011
【図１０】
2010056850.tif 000012
【図１１】
2010056850.tif 000013
【図１２】
2010056850.tif 000014
【図１３】
2010056850.tif 000015
【図１４】
2010056850.tif 000016
【図１５】
2010056850.tif 000017
【図１６】
2010056850.tif 000018
【図１７】
2010056850.tif 000019
【図１８】
2010056850.tif 000020
【図１９】
2010056850.tif 000021
【図２０】
2010056850.tif 000022
【図２１】
2010056850.tif 000023
【図２２】
2010056850.tif 000024
【図２３】
2010056850.tif 000025
【図２４】
2010056850.tif 000026
【図２５】
2010056850.tif 000027
【図２６】
2010056850.tif 000028
【図２７】
2010056850.tif 000029
【図２８】
2010056850.tif 000030
【図２９】
2010056850.tif 000031
【図３０】
2010056850.tif 000032
【図３１】
2010056850.tif 000033
【図３２】
2010056850.tif 000034
【図３３】
2010056850.tif 000035
【図３４】
2010056850.tif 000036
【図３５】
2010056850.tif 000037